(57)【要約】【課題】水平方向の回転を抑制して正確な位置決めができる照明器具を提供する。【解決手段】昇降装置３０によって灯具４０を引き上げて本体部２０に収容する際に、灯具４０に設けられて本体部２０方向へ突出した錐体状のガイド部４５が、本体部２０に設けられている受け部２５に嵌合するので、水平方向の回転を抑制して正確な位置決めができる。【選択図】図２
2012089452.tif 000002
【特許請求の範囲】
【請求項１】
昇降装置を有する本体部と、
前記昇降装置により昇降動作をする灯具と、を有し、
前記灯具の上面に、前記本体部方向へ突出する錐体状のガイド部が設けられ、
前記本体部には前記ガイド部が嵌合する受け部を設けた照明器具。
【請求項２】
請求項１に記載の照明器具において、
前記ガイド部は複数設けられ、長手方向中央を軸にして対称に配置された照明器具。
【請求項３】
請求項１または請求項２に記載の照明器具において、
前記ガイド部が前記受け部に嵌合する際に、前記受け部が上方向へ可動である照明器具。
【請求項４】
請求項１ないし請求項３のうちのいずれか１項に記載の照明器具において、
前記ガイド部が、前記受け部に嵌合する際に、前記ガイド部が下方向へ可動である照明器具。
【発明の詳細な説明】
【技術分野】
【０００１】
本発明は、灯具が昇降装置により昇降し、本体部に収容および取外し可能な照明器具に関するものである。
【背景技術】
【０００２】
従来より、天井面の高い体育館や工場、また、商業施設等では、照明器具のランプ交換や保守点検等の作業を床面近くで安全に実行するため、照明器具を昇降動作させることが可能な昇降形の照明器具が使用されている（例えば、特許文献１参照）。
【０００３】
図５に示すように、特許文献１に記載の照明器具１００は、天井内に埋め込んで設置される埋込本体１０１と、この埋込本体１０１に配設された昇降装置１０２により昇降動作させられる矩形状の灯具１０３とを備え、灯具１０３は、埋込本体１０１内で上昇動作を停止する。
【０００４】
灯具１０３の外周面には、複数のガイドローラ１０５が設けられており、埋込本体１０１の内部に侵入した灯具１０３は、ガイドローラ１０５が埋込本体１０１の内面に当接しながら位置決めされる。
また、灯具１０３の上面１０３Ａには、緩衝部材１０４を上向きの状態で取り付けており、かつ、この緩衝部材１０４は上昇動作を停止した灯具１０３の上面１０３Ａと、埋込本体１０１の内奥面１０１Ａとの間に介在して配置される。
【先行技術文献】
【特許文献】
【０００５】
【特許文献１】特開２００５−１１６８２号公報（第１図）
【発明の概要】
【発明が解決しようとする課題】
【０００６】
しかしながら、前述した特許文献１に記載の照明器具１００においては、灯具１０３に設けられたガイドローラ１０５と埋込本体１０１の内面との間に、１ｍｍ〜２ｍｍ程度の隙間があるため、灯具１０３がその隙間だけ水平方向に回転してしまい、正確な位置決めができないという問題があった。
【０００７】
本発明は、従来の問題を解決するためになされたもので、水平方向の回転を抑制して正確な位置決めができる照明器具を提供することを目的とする。
【課題を解決するための手段】
【０００８】
本発明の照明器具は、昇降装置を有する本体部と、前記昇降装置により昇降動作をする灯具と、を有し、前記灯具の上面に、前記本体部方向へ突出する錐体状のガイド部が設けられ、前記本体部には前記ガイド部が嵌合する受け部を設けたものである。
【０００９】
また、本発明の照明器具は、前記ガイド部は複数設けられ、長手方向中央を軸にして対称に配置されたものである。
【００１０】
また、本発明の照明器具は、前記ガイド部が前記受け部に嵌合する際に、前記受け部が上方向へ可動であるものである。
【００１１】
さらに、本発明の照明器具は、前記ガイド部が、前記受け部に嵌合する際に、前記ガイド部が下方向へ可動であるものである。
【発明の効果】
【００１２】
本発明は、昇降装置によって灯具を引き上げて本体部に収容する際に、灯具に設けられて本体部方向へ突出した錐体状のガイド部が、本体部に設けられている受け部に嵌合するので、水平方向の回転を抑制して正確な位置決めができるという効果を有する照明器具を提供できる。
【図面の簡単な説明】
【００１３】
【図１】（Ａ）は本発明に係る実施形態の照明器具の一部破断の正面図であり、（Ｂ）は断面図
【図２】灯具を下げた状態の照明器具の斜視図
【図３】（Ａ）は四角錐のガイド部の斜視図であり、（Ｂ）は円錐のガイド部の斜視図
【図４】ガイド部の拡大図
【図５】従来の吊り下げ型照明器具の斜視図
【発明を実施するための形態】
【００１４】
以下、本発明に係る実施形態の照明器具について、図面を用いて説明する。
図１に示すように、本発明に係る実施形態の照明器具１０は、高所の天井面１１等の被取付部に埋め込んで使用することができる。
図２にも示すように、照明器具１０は、天井面１１等に埋め込まれる本体部である埋込本体２０と、埋込本体２０に設けられている昇降装置３０によって昇降する灯具４０を有する。
【００１５】
灯具４０は、下方に開口した有底箱形の灯具本体４１を有しており、灯具本体４１の下端部には、灯具４０が上限まで上昇した際に埋込本体２０の下面に当接する枠４２が外側に張り出して取り付けられている。
また、灯具本体４１の内部には、照明光の照射角度が調整できる例えばダウンライトやスポットライト等が光源４３として設けられている。
【００１６】
灯具本体４１の天板４１１中央部には、後述する昇降ケーブル３１を取り付けるためのケーブル取付台４４が取り付けられている。また、天板４１１の上面には、埋込本体２０方向（すなわち、上方）へ突出する錐体状のガイド部４５が取り付けられている。ガイド部４５は複数（ここでは、例えば２個）設けられ、長手方向中央を軸にして対称位置、すなわちケーブル取付台４４を挟んで対称位置に配置されている。
【００１７】
錐体状のガイド部４５としては、三角錐形状を採用することができる。そのほか、図３（Ａ）に示すような四角錐や、図３（Ｂ）に示すような円錐形状を採用することもできるが、これに限らず、その他の錐体状を採用することができる。
なお、ここでは、三角錐の場合について説明する。
【００１８】
ガイド部４５は、後述する受け部２５に嵌合する際に、下方向へ可動となっている。すなわち、図４に示すように、灯具本体４１の天板４１１に軸受け４６１が取り付けられており、この軸受け４６１に下端を支持されて上方に延びる軸４６２が設けられている。
軸４６２の上部には、摺動部４６３が軸４６２に沿って上下方向へ摺動可能に設けられており、摺動部４６３と軸受け４６１との間にはスプリング４６４が設けられていて、摺動部４６３を常時上方へ付勢している。この摺動部４６３の上端にガイド部４５が取り付けられているので、ガイド部４５は、上下方向へ可動になる。
【００１９】
図２にも示すように、埋込本体２０は、取付状態で天井面１１の下面に露出する額縁状の縁板２１１と、縁板２１１の内縁に沿って上方に立設された矩形状のフレーム２１２とで構成される枠部材２１を有する。前述した灯具４０の枠４２は、灯具４０を上昇させた際に枠部材２１に当接することにより、灯具４０の上昇を規制する。
【００２０】
矩形のフレーム２１２の角部付近における幅方向外側面２１２Ａには、上方へ向けて４本の板状の支持部材２２が取り付けられており、支持部材２２の上端には、取付板２３が水平に取り付けられている。取付板２３の上には、昇降装置３０が取り付けられている。昇降装置３０は、取付板２３を貫通して、巻き上げおよび巻き下ろしする２本の昇降ケーブル３１を有する。
なお、昇降装置３０としては、従来より一般的な昇降装置を用いることができるので、詳細な説明は省略する。
【００２１】
各支持部材２２の幅方向中央部には、上下方向に沿ってスリット２２１が設けられており、対向する支持部材２２の間には、受け部支持材２４がスリット２２１に沿って上下移動可能に設けられている。受け部支持材２４の中央には、前述した灯具４０のガイド部４５が嵌合する受け部２５が、回転しないように取り付けられている。このとき、受け部２５の三角錐の三角の方向と、ガイド部４５の三角錐の三角の向きが、高精度で一致するように設定する。
従って、受け部２５は上下移動可能に取り付けられることになる。
【００２２】
受け部２５の内面形状は、ガイド部４５の外面形状と相似形をしている。すなわち、ここでは、ガイド部４５が三角錐形状であるので、三角錐形状となる。また、受け部２５の内面形状は、ガイド部４５の外面形状よりも大きくなっており、ガイド部４５が受け部２５に嵌合した際に、ガイド部４５の全体が嵌合する。
【００２３】
次に、灯具の昇降動作について説明する。
高所の天井面１１等に取り付けられている埋込本体２０の下方に灯具４０を配置し、埋込本体２０の昇降装置３０により昇降ケーブル３１を巻き上げる。
灯具４０が埋込本体２０に達すると、灯具４０のガイド部４５が、埋込本体２０の受け部２５に嵌合しながら上昇する。このとき、ガイド部４５が受け部２５に嵌合することにより、埋込本体２０に対する灯具４０の位置および向きが、一致するように灯具４０は、回転しながら上昇する。
この状態では、灯具４０の枠４２は、まだ埋込本体２０の枠部材２１に当接していないため、灯具４０の上昇は規制されていない。
【００２４】
ガイド部４５が受け部２５に嵌合した状態で、さらに、昇降ケーブル３１を巻き上げると、ガイド部４５がスプリング４６４に抗して下方へ移動するとともに、受け部２５を取り付けた受け部支持材２４がスリット２２１に沿って上方へ移動する。
そして、灯具４０の枠４２が、埋込本体２０の枠部材２１に当接したら、灯具４０の上昇は規制され、取付が完了する。
【００２５】
次に、灯具４０を下降させる際には、昇降装置３０により昇降ケーブル３１を繰り出して灯具４０を下降させる。このとき、ガイド部４５は、スプリング４６４の付勢力により上昇して、元の位置に戻る。また、受け部２５は、重力で下降して下端位置に戻る。
なお、受け部２５を、上昇した位置で保持するようにすると取付時における受け部２５の高さ位置が決定されるので、次に灯具４０を上昇させた際に、受け部２５が上昇することなく、ガイド部４５が嵌合することができる。
【００２６】
以上、説明した本発明に係る実施形態の照明器具１０によれば、昇降装置３０によって灯具４０を引き上げて埋込本体２０に収容する際に、灯具４０に設けられて埋込本体２０方向へ突出した錐体状のガイド部４５が、埋込本体２０に設けられている受け部２５に嵌合するので、灯具４０の水平方向の回転を抑制して正確な位置決めができる。
【００２７】
また、ガイド部４５は複数設けられ、長手方向中央を軸にして対称に配置されているので、水平方向の回転を抑制して正確な位置決めができる。
【００２８】
また、ガイド部４５が受け部２５に嵌合する際に、受け部２５が上方向へ可動なので、上下方向の位置調整が不要であり、ガイド部４５と受け部２５の位置調整が容易にできる。また、嵌合する際の衝撃を緩和することができる。
【００２９】
また、ガイド部４５が受け部２５に嵌合する際に、ガイド部４５が下方向へ可動なので、上下方向の位置調整が不要であり、ガイド部４５と受け部２５の位置調整が容易にできる。また、嵌合する際の衝撃を緩和することができる。
【００３０】
なお、本発明の照明器具は、前述した実施形態に限定されるものでなく、適宜な変形，改良等が可能である。
例えば、前述した実施形態において、ガイド部４５および受け部２５を三角錐形状とした場合について例示したが、そのほか、円錐形状や、多角錐形状とすることも可能である。
ガイド部４５に円錐形状を適用する場合には、受け部２５に円錐とは相似形でない角錐形状とすることも可能である。
【００３１】
また、前述した実施形態においては、対称位置に複数（２個）のガイド部４５および受け部２５を用いた場合について例示したが、ガイド部４５および受け部２５に角錐を用いる場合には、埋込本体２０および灯具４０の中央に設けることにより、１個のガイド部４５および受け部２５で方向性および位置決めをおこなうことが可能である。
なお、この場合には、ガイド部４５および受け部２５の向きが、上下移動の際でも回転しないように取り付ける必要がある。
【００３２】
さらに、灯具４０の外面にガイドローラ４７（図１参照）を設けても良い。
【符号の説明】
【００３３】
１０  照明器具
２０  埋込本体（本体部）
２５  受け部
３０  昇降装置
４０  灯具
４１１  天板
４５  ガイド部
【図１】
2012089452.tif 000003
【図２】
2012089452.tif 000004
【図３】
2012089452.tif 000005
【図４】
2012089452.tif 000006
【図５】
2012089452.tif 000007